(57)【要約】      （修正有）【課題】構成の簡素化を図り、一般の人が使用することが容易な鏝を安価に提供する。【解決手段】鏝板１と把持部２間に押縮及び復帰自在の弾性部材４を介在させた鏝、好ましくは弾性部材がねじりバネであり、さらに好ましくは、弾性部材を鏝板と把持部との間に間隔を開けて複数設けてなる。【選択図】図１
2020041375.tif 000002
【特許請求の範囲】
【請求項１】
鏝板と把持部との間に押縮及び復帰自在の弾性部材を介在させたことを特徴とする左官鏝。
【請求項２】
前記弾性部材がねじりバネであることを特徴とする請求項１に記載の左官鏝。
【請求項３】
前記弾性部材を鏝板と把持部との間に間隔を開けて複数設けたことを特徴とする請求項１又は２に記載の左官鏝。
【発明の詳細な説明】
【技術分野】
【０００１】
本発明は、一般の人が使用することが容易な左官鏝に関する。
【背景技術】
【０００２】
従来、建物の壁や床、塀、その他の建造物の表面を均して均一に仕上げるために左官鏝（以下単に「鏝」という。）が使用されている。鏝は下面が平らな鏝板の上面に連結部材を介して把持部を設けて構成されている。
【０００３】
従来、前記鏝を使用する作業は専ら職人の仕事とされて、一般の人が前記鏝を使用して前記建物の壁や床、塀、その他の建造物の表面を均して均一に仕上ることは困難であるとされていた。
【０００４】
しかし、近時は、日曜大工、リフォームなどで前記の作業を楽しみ且つ挑戦する一般の人が増える傾向にある。そこで、職人芸に近い塗装の仕上がりが誰にでも簡単かつ容易にできるという鏝が提案されている（特許文献１）。
【０００５】
前記提案されている鏝は、鏝板上面の背板中央に支持台が取付けられ、前記支持台は内部に空間があり前記支持台上面に設けられた穿孔から挿通不可な形状を有する下端部を備えたシャフト部と、バネの中心を前記シャフト部に挿通したコイルバネと、前記シャフト部の上端部のハンドル部とから構成され、前記ハンドル部が前記シャフト部の下端部を中心に前後左右に揺動自在にされ、前記ハンドル部を鏝板の方向に抑え付けることにより前記シャフト部の下端部が前記背板に接し、前記コイルバネの付勢力により前記シャフトの部の下端が前記背板から離れ前記支持台の上側に接し得る構成である。  
【０００６】
前記構成の鏝によれば、塗面が凹凸にならないように力加減の調整が容易となる効果が得られるとしている。
【先行技術文献】
【特許文献】
【０００７】
【特許文献１】特開２００８−１６９５６０号公報
【発明の概要】
【発明が解決しようとする課題】
【０００８】
前記従来の鏝は、鏝板及び把持部のほかに加工を施した支持台、シャフト、コイルスプリング（油圧シリンダ）、ハンドル位置調整部、その他の小部品を必要とし構成が極めて複雑である。したがって、制作に手数を要するため一般の鏝に比べて大幅なコストアップとなる。また、実際の作業時において、構成要素の細部に塗装材が付着した場合の洗浄など、その他の取扱いに多くの手数を要ずる。
【０００９】
本発明は、前記事情に鑑み、構成の簡素化を図り、一般の人が使用することが容易な鏝を安価に提供することを目的とする。
【課題を解決するための手段】
【００１０】
前記課題を解決するための本発明は、鏝板と把持部との間に押縮及び復帰自在の弾性部材介在させたことを特徴とする（請求項１）。  
【００１１】
本発明によれば、鏝使用時に必要とする加圧力を弾性部材の働きによって軽減することができる。したがって、鏝を使い慣れない、力の弱い一般の人でも作業に必要な加圧力を得ることができる。すなわち、把持部を手で持って該把持部を押し下げれば手で加えた力以上の加圧力を得ることができる。  
【００１２】
前記本発明の鏝は、作業個所、使用する塗装材の種類等に合わせてその弾力性を調整して数種類を準備することができる。しかし、いずれの場合も把持部を押縮して収縮させた後、押縮を解除すると原状に復帰する構成とされる。  
【００１３】
本願発明の一実施例は、前記弾性部材がねじりバネであることを特徴とする（請求項２）。ねじりバネ（トーションバネ）は中間部がコイル状に巻回されて両端部が開放された構成である。したがって、開放された一方の端部を鏝板の上面に固定し、解放された他方の端部を把持部に連結及び固定することにより容易に鏝板と把持部間を連結及び固定することができる。さらに、両端部の開放角度を使い易い角度に予め設定することも容易である。
【００１４】
本発明の一実施例は、前記弾性部材を鏝板と把持部との間に間隔を開けて複数設けたことを特徴とする。（請求項３）。鏝板は所定の幅で比較的長い形状に構成されている。したがって、鏝板の長さ方向に間隔を開けて複数の弾性部材を設けることにより鏝板と把持部間の連結及び固定が安定し使用時に鏝板と把持部間にぶれが生じることが防止される。
【発明の効果】
【００１５】
本発明によれば、鏝を使いなれていない、力の弱い一般の人であっても必要とする加圧力を得て建物の壁や床、塀、その他の建造物の表面を均して均一に仕上げることができる。さらに鏝を安価に提供できる。
【図面の簡単な説明】
【００１６】
【図１】本発明の一実施例に係る鏝の斜視図である。
【図２】使用状態を示す中央断面図である。
【図３】本発明の他の実施例を示す要部の斜視図である。
【図４】図３の要部拡大斜視図である。
【発明を実施するための形態】
【００１７】
以下に、図面を参照して本発明を説明する。  
【００１８】
図１は、本発明の一実施例に係る鏝の斜視図である。図中、１は所定の幅で比較的長く形成された鏝板、２は把持部である。前記鏝板１の素材は主に金属で構成されており、その他、プラスチックあるいは木製であってもよい。また、前記把持部２も同様に金属、プラスチックあるいは木製であってもよい。図中、３は前記鏝板１の上面に設けられた背板であり図面実施例では金属である。  
【００１９】
本発明では、前記鏝板１と把持部２間が押縮及び復帰自在の弾性部材４によって連結及び固定される。図面実施例では、前記弾性部材４はねじりバネである。該ねじりバネ４は中間部４ａがコイル状に巻回されて、両端部４ｂ、４ｃが開放された構成である。
【００２０】
なお、前記開放された両端部４ｂと４ｃとが成す角度は、押縮の容易性及び復帰自在を考慮して鋭角に形成される。具体的には７０°前後が好ましい。  
【００２１】
図面実施例では、ねじりバネ４が前記鏝板１と把持部２間に間隔を開けて複数設けられている。そして、前記それぞれのねじりバネ４の一方の端部４ｂが前記鏝板１の上面に設けられた背板３にそれぞれ溶接により連結固定され、他方の端部４ｃが木製の把持部２に木ネジ５によってそれぞれ連結及び固定されている。  
【００２２】
図２は、使用状態を示す中央部断面図である。図中、６は親指、７は人差し指であり右利きの人に使い易い例である。図２の状態において、把持部２を持って矢印（Ｙ）の方向に把持部２を押圧すると、押圧した力に加えてねじりバネ４の弾発力が加わり、鏝板１には手で押圧した力以上の加圧力が加わる。したがって、力の弱い一般の人でも作業に必要な加圧力を得ることができる。  
【００２３】
なお、図面実施例は右利きの人に使い易い例であるが左利きの人も使うことができる。敢えて左利きの人用に構成する場合には前記ねじりバネ４の取り付け方向を反対にするとよい。  
【００２４】
図３及び図４は本発明の他の実施例を示す斜視図である。なお、前記図１及び図２と同一部分には同一符号を付している。
【００２５】
この実施例は、前記ねじりバネ４を構成する開放された両端部４ｂと４ｃとの間に、該両端部４ｂと４ｃとの間の押縮幅及び復帰幅を規制するストッパー８を設けたものである。
【００２６】
前記ストッパー８は小幅の金属等の板材からなり、その両端部に前記ねじりバネ４の両端部４ｂ及び４ｃが貫通する長孔８ａ及び８ｃが形成されている。この構成では、前記ねじりバネ４を構成する開放された両端部４ｂと４ｃとの間の押縮幅及び復帰幅が前記長孔８ａ及び８ｂの長さによって規制される。なお、前記長孔８ａ及び８ｂの長さはねじりバネ４の弾発力及び鏝の用途等によって適宜調整される。
【００２７】
前記ストッパー８を設けることにより、携帯時あるいは作業時等に前記鏝板１あるいは把持部２に大きな力が加わった場合にも該把持部２と前記鏝板１との間の間隔が前記ストッパーによって規制される。したがって前記把持部２と鏝板１の間に親指６あるいは人差し指７等が挟まれることがなく指部の損傷が防止されて安全である。
【産業上の利用可能性】
【００２８】
本発明によれば、鏝を使いなれていない、力の弱い一般の人であっても必要とする加圧力を得て日曜大工、リフォームなどを楽しみ且つ挑戦することができ産業上の利用可能性は大である。
【符号の説明】
【００２９】
１    鏝板  ２    把持部  ３    背板  ４    弾性部材（ねじりバネ）
【図１】
2020041375.tif 000003
【図２】
2020041375.tif 000004
【図３】
2020041375.tif 000005
【図４】
2020041375.tif 000006